(57)【要約】【課題】同一のラスタ方向についての超音波の送信間隔を不等間隔として超音波ドプラ法によるスキャンを行う場合に、より少ないスキャン時間の増加量で残留エコーの影響を除去または低減させた超音波ドプラ像を得ることが可能な超音波診断装置および超音波診断装置の制御プログラムを提供することである。【解決手段】超音波診断装置は、データ取得手段、データ補正手段および血流情報取得手段を備える。データ取得手段は、同一のラスタ方向について複数回に亘って不等間隔で超音波を送受信し、かつ超音波を送受信するラスタ方向a, b. c, dを変えることによって複数のラスタ方向からのドプラ受信データ（網掛け部分）および補正エコー（斜線部分）を取得する。データ補正手段は、前記補正エコー（斜線部分）を用いて前記ドプラ受信データ（網掛け部分）を補正することによって残留エコーが除去または低減されたドプラ受信データを取得する。血流情報取得手段は、前記残留エコーが除去または低減されたドプラ受信データから血流情報を求める。【選択図】  図５
2010017373.tif 000002
【特許請求の範囲】
【請求項１】
同一のラスタ方向について複数回に亘って不等間隔で超音波を送受信し、かつ超音波を送受信するラスタ方向を変えることによって複数のラスタ方向からのドプラ受信データおよび補正エコーを取得するデータ取得手段と、
前記補正エコーを用いて前記ドプラ受信データを補正することによって残留エコーが除去または低減されたドプラ受信データを取得するデータ補正手段と、
前記残留エコーが除去または低減されたドプラ受信データから血流情報を求める血流情報取得手段と、
を備える超音波診断装置。
【請求項２】
前記データ取得手段は、複数のラスタ方向間においてラスタを交互に変更しつつ等間隔で超音波を送受信する交互スキャンを行うことによって前記ドプラ受信データを受信し、対応する超音波の送信を伴わない受信タイミングにおいて前記補正エコーを受信するように構成され、
前記データ補正手段は、前記ドプラ受信データに含まれる残留エコーに相当する補正エコーを前記ドプラ受信データが減算するように構成される請求項１記載の超音波診断装置。
【請求項３】
前記データ取得手段は、複数の超音波振動子を用いて同時かつ並列に異なる複数のラスタ方向からの補正エコーを受信するように構成される請求項２記載の超音波診断装置。
【請求項４】
前記データ取得手段は、同一のラスタ方向への連続的な複数回に亘る超音波の不等間隔での送受信を複数のラスタ方向について順次行い、超音波送信パルスの送信間隔が最小でない期間において前記ドプラ受信データに続いて前記補正エコーを受信し、
前記データ補正手段は、前記ドプラ受信データに含まれる残留エコーに相当する補正エコーを前記ドプラ受信データが減算するように構成される請求項１記載の超音波診断装置。
【請求項５】
前記血流情報取得手段は、前記残留エコーが除去または低減されたドプラ受信データの不等間隔データ列に対して、最小２乗法による近似を行い原信号から減算することで静止または動きの小さい物体からの信号成分を除去するように構成される請求項２または４記載の超音波診断装置。
【請求項６】
前記血流情報取得手段は、同一のラスタ方向からの受信間隔が異なるドプラ受信データのパルスペア間における位相差を利用することによって前記血流情報を求めるように構成される請求項４記載の超音波診断装置。
【請求項７】
前記データ取得手段は、基準となる周期の整数倍となる３通り以上の複数の受信間隔で前記同一のラスタ方向から前記ドプラ受信データを受信するように構成され、
前記血流情報取得手段は、互に同一の受信間隔で受信された複数のドプラ受信データのデータ列を用いてそれぞれ自己相関演算を行って、受信間隔ごとの自己相関演算値の自己相関の偏角を求めることにより前記ドプラ受信データの位相差の位相差を計算し、前記位相差の位相差に基づいて前記血流情報を求めるように構成される請求項４記載の超音波診断装置。
【請求項８】
超音波診断装置を制御することによって前記超音波診断装置を、
同一のラスタ方向について複数回に亘って不等間隔で超音波を送受信し、かつ超音波を送受信するラスタ方向を変えることによって複数のラスタ方向からのドプラ受信データおよび補正エコーを取得するデータ取得手段、
前記補正エコーを用いて前記ドプラ受信データを補正することによって残留エコーが除去または低減されたドプラ受信データを取得するデータ補正手段、および
前記残留エコーが除去または低減されたドプラ受信データから血流情報を求める血流情報取得手段、
として機能させる超音波診断装置の制御プログラム。
【発明の詳細な説明】
【技術分野】
【０００１】
本発明は、超音波を送受することによって取得したドプラ信号を利用して血流を２次元的に可視化する超音波診断装置および超音波診断装置の制御プログラムに係り、特に同一方向への超音波の送信周期が不等間隔であるスキャンシーケンスに従ってスキャンを行う超音波診断装置および超音波診断装置の制御プログラムに関する。
【背景技術】
【０００２】
従来のカラードプラ超音波診断装置では、超音波を同一方向に等間隔にN回に亘って送受信することによって得られたパケットと呼ばれるN個のデータ列に基づいて血流の平均速度、分散およびパワー情報等の血流情報を算出および表示される。具体的には、超音波の送信の間隔時間である送信周期をT、自己相関法によって算出されるドプラ信号の平均位相差をΔθ、音速をC、受信される超音波の中心周波数をf0とすると、血流の平均速度Vは、式(1)により計算することができる。
【数１】
2010017373.tif 000003
【０００３】
式(1)において|Δθ|≦πであるので、折り返しが生じないように測定することが可能な血流の最高流速Vmaxは式(2)で表される。
【数２】
2010017373.tif 000004
【０００４】
従って、血流の最高流速Vmax以上の血流速度Vが存在すると折り返しが生じて正しい血流の方向と速度を計算することができなくなる。
【０００５】
この折り返し速度の制約を解消する方法として、互いに異なる送信周期T=T0, T0+Ts, T0+2Ts, T0+3Tsで超音波の送信を行う方法が考案されている（例えば特許文献１参照）。この方法は、主としてレーダーの技術分野においてスタガパルス法と呼ばれ、血流の平均速度Vが超音波の送信周期の逆数1/Tに比例するという式(1)から得られる性質を利用するものである。すなわち、異なる送信周期Tで超音波を送信して血流の平均速度Vの送信周期の逆数1/Tに対する傾きを求めれば、仮に折り返しが起きていても傾きから正しい血流の平均速度Vを計算することができる。
【０００６】
図１は、従来のスタガパルス法による超音波スキャンシーケンスを示す図である。
【０００７】
図１において横軸は時間を示す。図１に示すように、例えば超音波送信タイミングが不等間隔5Ts, 6Ts, 7Tsに設定され、複数の超音波の送信に続いて１０個のデータ列が受信信号として受信される。
【０００８】
しかしながら、スタガパルス法では残留エコーの影響により血流が存在しない場所にあたかも血流が存在するかのように血流情報が表示される場合があるという問題がある。残留エコーとは、ある超音波エコーの受信用に送信される超音波よりも以前に送信された超音波によって発生する有効視野深度よりも深い位置で発生するエコーである。
【０００９】
図２は、従来の通常のカラードプラ法による超音波の送受において発生する残留エコーを示す図である。
【００１０】
図２において横軸は時間を示す。図２に示すように、超音波の送信周期を一定とした通常のカラードプラ法によるスキャンでは、超音波の送信タイミングが一定の間隔となる。このため、各送信タイミングで送信される超音波に続いて超音波エコーが受信信号として得られる。しかしながら、受信信号は、受信直前に送信された超音波に応答して発生した受信信号と、受信直前に送信された超音波よりも１つ前に送信された超音波に応答して発生した受信信号である残留エコーとが重ね合わさった多重信号となる。残留エコーは、受信信号の受信期間よりも長い時間をかけて超音波プローブに到達する信号であるため、有効視野深度よりも深い位置から発生した信号である。
【００１１】
図２に示すように、超音波の送信間隔が一定で、かつ超音波の送受対象となる物体が動いていない場合には、最初の受信信号の受信直前に送信された超音波よりも前に送信された超音波のみが他の受信信号の受信直前に送信された超音波よりも前に送信された超音波と異なる。このため、最初の受信信号に含まれる残留エコーを除く残留エコーが一定となる。そのために、通常のカラードプラ法による撮像では、パケットに含まれる最初のデータ列はイメージング用に使用されず、２番目以降の複数のデータ列がイメージング用に使用される。
【００１２】
そして、イメージング用の２番目以降の複数のデータ列に、動きのない物体あるいは動きの少ない物体からの信号を除去するためのMTI (moving target indication)フィルタが掛けられる。これにより、動きのない物体からの信号である残留エコーを受信データから除去することができる。このように、超音波の送信間隔が一定である通常のカラードプラスキャンでは、最初にダミー送信を行うことによって残留エコーの影響を除去することができる。
【００１３】
この他、送信間隔を等間隔として超音波の送受信を複数回に亘って行い、得られた受信データから組織や造影剤からのハーモニック成分を抽出する際に、残留エコーを除去する方法も考案されている（例えば特許文献２参照）。
【００１４】
これに対して、スタガパルス法によるスキャンでは、ダミー送信による残留エコー対策が原理的に不可能である。すなわち、スタガパルス法の場合には超音波の送信間隔が不等間隔であるために残留エコーがパケット内の受信データ毎に変化する。従って、MTIフィルタによって残留エコーを除去することができない。そして、残留エコーが受信データ毎に変化すると、静止している物体からのエコーが動いているように誤認される。このため、スタガパルス法により得られた受信データにカラードプラ処理を行うと、動いていない組織が血流として動いているように表示される恐れがあるという問題がある。
【００１５】
他方、折り返し速度の制約を解消する別の方法として、送信超音波のラスタ方向を交互に変えつつ等間隔で超音波を送信することによって同一のラスタ方向について超音波を不等間隔に送信する不等間隔交互（インターリーブ）キャン法が考案されている（例えば特許文献３および特許文献４参照）。この不等間隔交互スキャン法では、受信データに最小２乗法を利用したMTIフィルタを掛けて、最小間隔の受信データ間における血流の速度が計算される。これにより、折り返し速度を向上させ、高流速感度、低流速感度およびフレームレートの３者の両立を図ることができる。尚、通常はデータの観測時間が長い程、MTIフィルタの特性が向上するので低流速感度が向上する。また、フレームレートは、１フレームに対応する超音波の送信間隔および送信回数により決定される。
【００１６】
不等間隔交互スキャン法では、同一ラスタ方向への超音波の送信間隔が不等間隔ではあるが、ダミー送信を設ければ、MTIフィルタを受信データに掛けることによって残留エコーを除去することができる。
【００１７】
図３は、従来の不等間隔交互スキャンにおける送信超音波のラスタ方向と送信回数との関係を示す図である。
【００１８】
図３において横軸は送信超音波のラスタ方向を、縦軸は超音波の送信回数を示す。また、図３の斜線部分は、残留エコー対策のためのダミー送信を示し、網掛け部分は、イメージング用の有効な超音波の送信を示す。
【００１９】
図３に示すように、イメージング用の有効な超音波送受信時において残留エコーが常に同じ条件で発生するように、ラスタ方向が変わらないが超音波の送信間隔が変化する場合やラスタ方向が変わる度にダミー送信が設けられる。図３に示す例では、３つのラスタ方向a, b, cについてそれぞれ１つのパケットを得るために１３回に亘る超音波の送信が行われ、１３回の送信のうち５回がダミー送信となっている。
【特許文献１】特開平１１−９４９３２号公報
【特許文献２】特開２００４−１８１２０９号公報
【特許文献３】特開２００５−１７６９９７号公報
【特許文献４】特開２００５−３１２６３２号公報
【発明の開示】
【発明が解決しようとする課題】
【００２０】
上述したように、超音波の送信間隔が異なる従来のスタガパルス法では、受信データから残留エコーを除去することができないという問題がある。
【００２１】
一方、従来の不等間隔交互スキャン法では、残留エコー対策のためのダミー送信が多数必要となり無駄なスキャン時間が増加するという問題がある。このスキャン時間の増加は、従来の不等間隔交互スキャン法において、交互スキャン法でありながら期待されるほどフレームレートが向上しない原因となっている。
【００２２】
本発明はかかる従来の事情に対処するためになされたものであり、同一のラスタ方向についての超音波の送信間隔を不等間隔として超音波ドプラ法によるスキャンを行う場合に、より少ないスキャン時間の増加量で残留エコーの影響を除去または低減させた超音波ドプラ像を得ることが可能な超音波診断装置および超音波診断装置の制御プログラムを提供することを目的とする。
【課題を解決するための手段】
【００２３】
本発明に係る超音波診断装置は、上述の目的を達成するために、同一のラスタ方向について複数回に亘って不等間隔で超音波を送受信し、かつ超音波を送受信するラスタ方向を変えることによって複数のラスタ方向からのドプラ受信データおよび補正エコーを取得するデータ取得手段と、前記補正エコーを用いて前記ドプラ受信データを補正することによって残留エコーが除去または低減されたドプラ受信データを取得するデータ補正手段と、前記残留エコーが除去または低減されたドプラ受信データから血流情報を求める血流情報取得手段とを備えるものである。
【００２４】
また、本発明に係る超音波診断装置の制御プログラムは、上述の目的を達成するために、超音波診断装置を制御することによって前記超音波診断装置を、同一のラスタ方向について複数回に亘って不等間隔で超音波を送受信し、かつ超音波を送受信するラスタ方向を変えることによって複数のラスタ方向からのドプラ受信データおよび補正エコーを取得するデータ取得手段、前記補正エコーを用いて前記ドプラ受信データを補正することによって残留エコーが除去または低減されたドプラ受信データを取得するデータ補正手段、および前記残留エコーが除去または低減されたドプラ受信データから血流情報を求める血流情報取得手段として機能させるものである。
【発明の効果】
【００２５】
本発明に係る超音波診断装置および超音波診断装置の制御プログラムにおいては、同一のラスタ方向についての超音波の送信間隔を不等間隔として超音波ドプラ法によるスキャンを行う場合に、より少ないスキャン時間の増加量で残留エコーの影響を除去または低減させた超音波ドプラ像を得ることができる。
【発明を実施するための最良の形態】
【００２６】
本発明に係る超音波診断装置および超音波診断装置の制御プログラムの実施の形態について添付図面を参照して説明する。
【００２７】
（構成および機能）
図４は本発明に係る超音波診断装置の実施の形態を示す構成図である。
【００２８】
超音波診断装置１は、送信回路２、超音波プローブ３、受信回路４、Ｂモード処理系５、カラードプラ処理系６、座標変換部７Ａ、７Ｂ、画像合成部８、表示モニタ９および制御回路１０を備えている。Ｂモード処理系５は、エコーフィルタ部５Ａ、検波部５ＢおよびLOG処理部５Ｃを有する。カラードプラ処理系６は、CORNER TURNING BUFFER６Ａ，残留エコー補正部６Ｂ、MTI FILTER６Ｃ，自己相関演算部６Ｄおよび速度・分散・パワー推定部６Ｅを有する。超音波診断装置１の各構成要素は回路に限らず超音波診断装置の制御プログラムを読み込ませたコンピュータにより構築することができる。従って、図４に示す回路の全部または一部を同等の機能を備えたコンピュータに置換することもできる。
【００２９】
送信回路２は、所望の超音波画像を収集するために超音波プローブ３を制御するためのスキャンシーケンスを設定する機能、超音波プローブ３から被検体に送信されるべき超音波ビームの焦点位置や方向に応じた送信信号をスキャンシーケンスに従って生成する機能および超音波プローブ３に備えられる複数の超音波振動子にそれぞれ生成した送信パルス信号を所定の遅延時間を伴って印加する機能を有する。
【００３０】
特に送信回路２には、後述する受信回路４において生成されるドプラ受信信号から残留エコー成分を除去するための補正エコーの収集を伴うスキャンシーケンスを生成する機能が備えられる。スキャンシーケンスとしては、例えばスタガパルス法や不等間隔交互スキャン法によるシーケンスのように同一のラスタ方向についての超音波の送信間隔を不等間隔にするシーケンスとすることができる。尚、スタガパルス法は、送信超音波のラスタごとに、送信間隔を不等間隔に設定してスキャンを行い、順次スキャン対象となるラスタ方向を変えていく手法である。また、不等間隔交互スキャン法は、送信超音波のラスタ方向を交互に変えつつ等間隔で超音波を送信することによって同一のラスタ方向について超音波を不等間隔に送信する交互スキャン法である。
【００３１】
超音波プローブ３は、複数の超音波振動子を備えている。各超音波振動子は、それぞれ送信回路２から印加される電気信号としての送信パルス信号を送信超音波パルス信号に変換して被検体に送信する一方、被検体内において送信超音波パルスに応答して生じた超音波エコーを受信して電気信号としての受信信号に変換する機能と、得られた受信信号を受信回路４に出力する機能とを有する。
【００３２】
受信回路４は、超音波プローブ３の各超音波振動子からそれぞれ出力された受信信号に対して整相加算処理を含む信号処理を施すことによって受信データを生成する機能と、静止した組織の断層像であるＢモード像用の受信データをＢモード処理系５に、ダイナミックな血流情報を表すカラードプラ像用の受信データであるドプラ受信信号およびドプラ受信信号の補正用の補正エコー信号をカラードプラ処理系６に、それぞれ出力する機能を有する。
【００３３】
Ｂモード処理系５は、受信回路４から取得したＢモード像の生成用の受信データに対してＢモード像の生成処理を施すことによりＢモード像データを生成する機能と、生成したＢモード像データを対応する座標変換部７Ａに出力する機能を有する。そのために、エコーフィルタ部５Ａは受信回路４から取得した受信データにフィルタ処理を施すことにより不要な信号成分を除去する機能を、検波部５Ｂはフィルタ処理後の受信データに対して包絡線検波処理を施す機能を、LOG処理部５Ｃは検波後の受信データに対して対数変換処理を施して座標変換部７Ａに出力する機能を、それぞれ有する。
【００３４】
カラードプラ処理系６は、受信回路４から取得したカラードプラ像用の受信データに対してカラードプラ像の生成処理を施すことによりカラードプラ像データを生成する機能と、生成したカラードプラ像データを対応する座標変換部７Ｂに出力する機能を有する。カラードプラ像の生成処理には、補正エコーデータを用いたカラードプラ像用の受信データの補正処理も含まれる。
【００３５】
そのために、CORNER TURNING BUFFER６Ａは、受信回路４から取得した時系列の受信データを一時的に記憶する機能を有する。残留エコー補正部６Ｂは、CORNER TURNING BUFFER６Ａから補正エコーデータおよび複数の受信データを読み込んで、補正エコーデータに基づいて各受信データから残留エコー成分を除去する残留エコー補正処理を行う機能を有する。MTI FILTER６Ｃは残留エコー補正処理後の複数の受信データに対してMTIフィルタ処理を施すことにより静止または動きの小さい組織等の物体からの信号成分のようにカラードプラ像データの生成に不用な成分を除去する機能を有する。自己相関演算部６ＤはMTIフィルタ処理によって得られるMTI FILTER６Ｃからの複数の出力信号の自己相関演算を行う機能を有する。速度・分散・パワー推定部６Ｅは、自己相関演算部６Ｄの出力信号に基づいて血流の速度、分散、パワー等の血流情報を計算する機能と、血流情報をカラードプラ像データとして座標変換部７Ｂに出力する機能を有する。
【００３６】
尚、残留エコー補正部６Ｂは、MTI FILTER６Ｃよりも前段であれば他の位置に設けてもよい。例えば、残留エコー補正部６Ｂを受信回路４の直後に設けることが可能であり、残留エコー補正部６Ｂの機能を受信回路４に設けることも可能である。
【００３７】
座標変換部７Ａ、７Ｂは、それぞれＢモード処理系５およびカラードプラ処理系６から出力されたＢモード像データおよびカラードプラ像データのデータ座標軸をスキャン軸から表示画像用の直交軸に座標変換する機能を有する。
【００３８】
画像合成部８は、座標変換部７Ａ、７Ｂからそれぞれ直交座標系のＢモード像データおよびカラードプラ像データを取得して合成することにより、カラードプラ像とＢモード像とを重ねて表示するための画像合成信号を生成する機能と、生成した画像合成信号を表示モニタ９に与えることによりカラードプラ像とＢモード像の合成画像を表示モニタ９に表示させる機能とを有する。
【００３９】
制御回路１０は、超音波診断装置１の超音波プローブ３を除く装置本体側における各構成要素を統括制御するための回路である。
【００４０】
（動作および作用）
次に超音波診断装置１の動作および作用について説明する。
【００４１】
超音波診断装置１では、上述したようにスタガパルス法や不等間隔交互スキャン法によるシーケンスのように同一のラスタ方向についての超音波の送信間隔を不等間隔にするシーケンスを設定してスキャンを行うことができる。そこで、スタガパルス法によるスキャンを行う場合と、不等間隔交互スキャン法によるスキャンを行う場合とについて説明する。
【００４２】
（不等間隔交互スキャン法によるスキャン）
不等間隔交互スキャン法では、超音波エコーの受信データを受信する最小の間隔で決定される折り返し速度が検出可能な最大の血流速度となる。また、不等間隔交互スキャン法では、受信データを受信する最小の間隔、すなわち超音波パルスの送信間隔は常に一定であるが、ラスタ方向を交互に変える交互スキャンを行うことにより観測時間の拡大とフレームレートの向上を図ることができる。
【００４３】
不等間隔交互スキャン法によるスキャンを行う場合には、送信回路２において不等間隔交互スキャン法によるスキャンシーケンスが設定される。
【００４４】
図５は、図４に示す超音波診断装置１により不等間隔交互スキャン法によりスキャンを行う場合における超音波エコーのラスタ方向と受信回数との関係の一例を示す図である。
【００４５】
図５において横軸は受信される超音波エコーのラスタ方向を、縦軸は超音波エコーが受信される順番を示す。また、図５の斜線部分は、超音波を送信せずにドプラ受信信号から残留エコーを除去するための補正エコーを超音波エコーとして受信するタイミングを示し、網掛け部分は、イメージング用に超音波送信パルスを送信して有効な超音波エコーを受信するタイミングを示す。
【００４６】
図５に示すように複数のラスタ方向a, b, c, dについて交互にイメージング用の超音波を送受信することによって同一のラスタ方向におけるイメージング用の超音波の送受信間隔が不等間隔となる。そして、イメージング用の超音波の送受信の間に、ドプラ受信信号から残留エコーを除去するための補正処理に必要な補正エコーが受信される。
【００４７】
尚、並列同時受信法を利用することによって、複数のラスタ方向からの補正エコーを同時に受信することができる。このため、より短時間で多くの補正エコーを受信することができる。並列同時受信法は、複数の超音波振動子を個別に制御して異なるラスタ方向からの複数の超音波エコーの受信用に割当てることによって同時に複数のラスタ方向からの超音波エコーを受信する技術である。図５の例では、同時に３つのラスタ方向からの補正エコーが並列に同時受信されている。
【００４８】
このように対応する超音波を送信せずに受信される補正エコーは、直前に送信された超音波に応答して生じた各ラスタ方向における残留エコーに相当する。従って、補正エコーの発生条件と同じ条件で生じた残留エコーを成分として含む受信データから補正エコーを減じれば、受信データから残留エコー成分を除去できることになる。このため、各ラスタ方向にそれぞれ送信される超音波の送信後に生じる各残留エコーがそれぞれ補正エコーとして受信されるように、補正エコーの受信タイミングが決定される。
【００４９】
例えば、図５において最初に並列に同時受信される３つのラスタ方向a, b, cからの補正エコーは、それぞれ直前にラスタ方向bに送信された超音波に応答して生じた各ラスタ方向a, b, cにおける残留エコーに相当する。また、２番目に並列に同時受信される３つのラスタ方向b, c, dからの補正エコーは、それぞれ直前にラスタ方向cに送信された超音波に応答して生じた各ラスタ方向b, c, dにおける残留エコーに相当する。
【００５０】
このように決定された超音波の送受信タイミングおよび補正エコーの受信タイミングに沿ってスキャンシーケンスが送信回路２において決定され、さらにスキャンシーケンスに従って送信パルス信号が生成される。生成された送信パルス信号は、送信回路２から超音波プローブ３の各超音波振動子に印加される。そうすると、各超音波振動子からは超音波送信パルスが被検体に送信される。これにより被検体内において超音波送信パルスに応答して超音波エコーが生じる。
【００５１】
超音波エコーは、スキャンシーケンスにより決定されたタイミングで各超音波振動子により受信され、イメージング用の受信信号として受信回路４に出力される。また、イメージング用の超音波エコーの受信タイミングよりも遅いタイミングに設定された補正エコーの受信タイミングにおいて、有効視野深度よりも深い位置で発生した残留エコーが各超音波振動子により受信される。補正エコーは電気信号として各超音波振動子から受信回路４に出力される。
【００５２】
受信回路４では、受信信号に対する整相加算処理を含む信号処理によって受信データが生成される。そして、Ｂモード像用の受信データはＢモード処理系５に、カラードプラ像用の受信データはカラードプラ処理系６に、それぞれ出力される。
【００５３】
Ｂモード処理系５では、受信データに対するエコーフィルタ部５Ａにおけるフィルタ処理、検波部５Ｂにおける包絡線検波処理、LOG処理部５Ｃにおける対数変換処理等のＢモード像の生成処理によってＢモード像データが生成される。生成されたＢモード像データは、対応する座標変換部７Ａに出力される。座標変換部７Ａでは、Ｂモード像データの座標変換が行われ、直交座標系のＢモード像データが画像合成部８に出力される。
【００５４】
一方、カラードプラ処理系６では、受信データの残留エコー補正処理を含むカラードプラ像の生成処理によってカラードプラ像データが生成される。すなわち、CORNER TURNING BUFFER６Ａには、受信回路４から出力された時系列の受信データが一時的に保存される。CORNER TURNING BUFFER６Ａには、イメージング用の受信データの他、補正エコーデータも保存される。次に、残留エコー補正部６Ｂは、CORNER TURNING BUFFER６Ａから複数の時系列の受信データおよび対応する補正エコーデータを読み込んで、各受信データからそれぞれ対応する補正エコーデータを減じることにより残留エコー補正処理を行う。
【００５５】
図６は、図５に示す超音波の送受信によって収集されたラスタ方向cに対応する受信データを補正エコーによって補正して残留エコーを除去する方法を説明する図である。
【００５６】
図６において横軸は受信データのラスタ方向を、縦軸は受信データの受信タイミングを示す。また、図６の括弧内における数値は補正エコーを特定するためのパラメータ(ラスタ方向、受信タイミング)を示し、マイナス記号は当該補正エコーの減算処理を表している。
【００５７】
図６に示すように、イメージング用の各有効受信データに含まれる残留エコー成分に相当する補正エコーを各有効受信データからそれぞれ減じることにより有効受信データの残留エコー成分を除去する補正を行うことができる。
【００５８】
例えば、ラスタ方向cについて考えると、２番目にラスタ方向cから受信された補正エコー(c, 2)は、直前である１番目にラスタ方向bに送信された超音波パルスに応答して生じた残留エコーに相当する。また、１０番目にラスタ方向cから受信された有効受信データ(c, 10)には、直前の９番目にラスタ方向bから受信される受信データ(b, 9)を取得するために送信された超音波パルスに応答して生じた残留エコーが含まれる。従って、１０番目にラスタ方向cから受信された有効受信データ(c, 10)から２番目にラスタ方向cから同条件で受信された補正エコー(c, 2)を減じれば、有効受信データ(c, 10)から残留エコーを除去することができる。
【００５９】
図７は、図６に示す受信タイミングにおいて受信されたラスタ方向cにおける各有効受信データに対する減算処理方法を示す図である。
【００６０】
図７において左の欄は、有効受信データのパケット番号を、中央の欄は、有効受信データの受信タイミングを、左の欄は、受信データに対する減算処理を、それぞれ示す。また、減算処理の括弧内における数値は有効受信データおよび補正エコーを特定するためのパラメータ(ラスタ方向、受信タイミング)を示し、第１項は有効受信データを、第２項は補正エコーを、それぞれ示す。
【００６１】
図６に示す例では、ラスタ方向cからは８つのパケットが収集されるため、図７の左欄に示すようにパケット番号は１から８となる。パケット番号１の有効受信データは、１０番目に受信された受信データ(c, 10)であるから、上述した通り、受信データ(c, 10)から２番目にラスタ方向cから受信された補正エコー(c, 2)を減じる減算処理が行われる。同様に、図６に示すようにパケット番号２から８までの有効受信データに対する残留エコー対策の減算処理が行われる。尚、パケット番号７の有効受信データ(c, 21)は、図６に示すように２１番目に受信された受信データであり、直前の２０番目には補正エコーが受信されており超音波が送信されていない。従って、パケット番号７の有効受信データ(c, 21)には、残留エコー成分が含まれていないため減算処理も行われていない。すなわち第２項が存在しない。
【００６２】
さらに、同様な残留エコー補正がラスタ方向ごとに行われ、ラスタ方向ごとに補正後のパケットが得られる。そして、残留エコー補正された同一ラスタ方向の各受信データは、１つのパケットとしてMTI FILTER６Ｃに入力される。MTI FILTER６Ｃでは、パケットに対するMTIフィルタ処理が施され、静止または動きの小さい組織からの信号成分がパケットを構成する受信データから除去される。MTIフィルタ処理は、具体的には、以下のように行うことができる。
【００６３】
パケットを構成するパケット番号１の受信データの受信時刻を１、受信データの受信間隔（超音波パルスの送信間隔）を１とすると、図７に示すパケット内における受信データ列の間隔は[0, 3, 5, 6, 7, 8, 11, 13]と記述することができる。この不等間隔の受信データ列を最小２乗法による２次多項式で近似し、近似した結果を原信号から減算することでMTIフィルタを構成することができる。従って、MTIフィルタを表すフィルタ行列Wは、式(3)で表される。
【数３】
2010017373.tif 000005
【００６４】
ただし、式(3)において、Iは単位行列を、ATは、行列Aの転置行列を、A-1は、行列Aの逆行列を、それぞれ示す。そして、MTI FILTER６Ｃでは、パケット内における受信データ列をx、MTIフィルタの出力データ列をyとして式(4)の演算が行われる。これにより受信データからカラードプラ像データの生成に不用な成分が除去される。
【数４】
2010017373.tif 000006
【００６５】
MTI FILTER６Ｃの出力データ列yは、自己相関演算部６Ｄに入力される。自己相関演算部６Ｄでは、MTI FILTER６Ｃの出力データ列yに対して式(5)で示すラグ１の自己相関関数を用いた自己相関演算が行われる。
【数５】
2010017373.tif 000007
【００６６】
但し、式(5)において、y*は、yの共役複素数を、aおよびbは、同一のラスタ方向について連続してデータ収集されるデータ列の最初のパケット番号および最後のパケット番号を、それぞれ示す。図７に示すスキャンの場合には、a=3, b=6となる。
【００６７】
自己相関演算部６Ｄから出力される自己相関演算後のデータc1は、速度・分散・パワー推定部６Ｅに入力される。速度・分散・パワー推定部６Ｅでは、式(6)により自己相関演算後のデータc1に基づいて血流の速度V、分散Var、パワーPが計算される。
【数６】
2010017373.tif 000008
【００６８】
但し、式(6)において、angle(c1)は、複素数c1の偏角Δθを計算する関数であり、Cは音速、f0は受信される超音波エコーの中心周波数である。
【００６９】
速度・分散・パワー推定部６Ｅにおいて計算された血流の速度V、分散Var、パワーP等の血流情報は、カラードプラ像データとして座標変換部７Ｂに入力される。
【００７０】
そうすると、座標変換部７Ａ、７Ｂでは、Ｂモード処理系５およびカラードプラ処理系６から出力されたＢモード像データおよびカラードプラ像データの座標変換が行われ、直交座標系のＢモード像データおよびカラードプラ像データが画像合成部８に与えられる。画像合成部８では、Ｂモード像データおよびカラードプラ像データが合成され、カラードプラ像とＢモード像の合成画像が表示モニタ９に表示される。
【００７１】
このように表示モニタ９に表示された超音波画像は、残留エコー対策のためのダミー送信を伴わず、補正エコーを受信して残留エコー補正を行うことにより生成されたものであるため、従来よりも短いスキャン時間で得ることができる。
【００７２】
例えば、図３に示す従来の不等間隔交互スキャンと図５に示す不等間隔交互スキャンとを比較すると、いずれもラスタ方向cの有効受信データ数は８で、最小データ受信間隔で受信される受信データの数は４である。従って、受信データ数は従来と同等である。一方、図３に示す従来の不等間隔交互スキャンでは、イメージングに用いられない無効な超音波の送受信回数が５回であるのに対して図５に示す不等間隔交互スキャンでは、並列同時受信を行うことによって、１ラスタ方向当たりの無効な超音波の平均受信回数が１回に減っている。尚、各ラスタ方向について２回の無効な超音波の受信が存在するが、３つのラスタ方向に跨って受信が行われるためフレームレートの計算に用いる無効な超音波の平均受信回数は１回となる。従って、図５に示す不等間隔交互スキャンのフレームレートは図３に示す従来の不等間隔交互スキャンから(8+5)/(8+1)=1.44倍に向上する。
【００７３】
ただし、図３に示す従来の不等間隔交互スキャンの１ラスタ方向当たりの観測時間（スキャン時間）は１９であるのに対して図５に示す不等間隔交互スキャンの１ラスタ方向当たりの観測時間は１３であり、短くなっている。このため、図５に示す不等間隔交互スキャンでは、図３に示す従来の不等間隔交互スキャンに比べて低流速の感度が低下する恐れがある。
【００７４】
そこで、不等間隔交互スキャンにおける受信データの受信タイミングを工夫しすることによって１ラスタ方向当たりの観測時間が短くならないようにすることができる。
【００７５】
図８は、図４に示す超音波診断装置１により不等間隔交互スキャン法によりスキャンを行う場合における超音波エコーのラスタ方向と受信回数との関係の別の例を示す図である。
【００７６】
図８において横軸は受信される超音波エコーのラスタ方向を、縦軸は超音波エコーが受信される順番を示す。また、図５の斜線部分は、補正エコーを受信するタイミングを示し、網掛け部分は、イメージング用の有効受信データを受信するタイミングを示す。
【００７７】
図８に示すように複数のラスタ方向a, b, c, d, eについて交互に不等間隔でイメージング用の超音波が送受信される。そして、イメージング用の超音波の送受信の間に、補正エコーが受信される。図８に示す不等間隔交互スキャンのフレームレートおよび低流速感度は図３に示す従来の不等間隔交互スキャンとほぼ同等であるが、図８に示す不等間隔交互スキャンでは、有効受信データ数が１２、最小データ受信間隔で受信される受信データの数が６と向上している。すなわち、図８の例では、a=4, b=9となる。
【００７８】
このように、フレームレートおよび低流速感度を従来のフレームレートおよび低流速感度と同等に設定すると、受信データ数を増加させることができる。
【００７９】
一般に、組織や血流からの超音波エコー信号は位相干渉のため振幅および位相が位置ごとに変動する。また、血流のように観測対象が動いている場合にはノイズ成分によって振幅および位相の変動が同一のパケット内におけるデータ間で発生する。このため、少ないデータ数で血流の速度V、分散Var、パワーP等の血流情報を推定すると誤差が大きくなる。この誤差を小さくするためには、血流のパワーPおよび自己相関演算後のデータc1を計算する際の加算回数を多くして統計的精度を向上させることが有効である。
【００８０】
図８に示す不等間隔交互スキャンでは、図３に示す従来の不等間隔交互スキャンに比べてフレームレートおよび低流速感度が同等であるものの、血流のパワーPおよび自己相関演算後のデータc1を計算するためのデータ数が増加している。このため、図８に示す不等間隔交互スキャンを実行することにより、図３に示す従来の不等間隔交互スキャンを実行する場合に比べて安定した高精度の速度V、分散Var、パワーP等の血流情報画像を得ることができる。
【００８１】
血流のパワーPおよび自己相関演算後のデータc1を計算する際の加算回数を多くすることによる統計的精度の向上効果を定量化するのは困難であるが、以下に述べるようにデータ数が１つでも増えると効果が得られる。超音波エコー信号が位相干渉を起こすと、観測対象の動きによる位相変化に影響を与えるため、血流速度の推定精度が大幅に悪くなる。従って血流速度の推定に使用するデータが全て位相干渉を起こしている場合には精度が悪い。しかし、位相干渉を起こしたデータは振幅が小さい。そこで、１つでも位相干渉を起こしていないデータがあれば、位相干渉を起こしていないデータの振幅が大きいことから、位相干渉を起こしていないデータの寄与率が大きくなり、血流速度の推定精度が向上する。以上より、データ数が増えると精度が大幅に向上すると考えられる。
【００８２】
（スタガパルス法によるスキャン）
次に、スタガパルス法によるスキャンを行う場合について説明する。スタガパルス法では、同一のラスタ方向への超音波送信パルスの送信間隔を不等間隔とすることで、折り返し速度以上の速度を検出することが可能となる。この場合にも送信回路２においてスタガパルス法によるスキャンシーケンスが設定される。
【００８３】
図９は、図４に示す超音波診断装置１によりスタガパルス法によりスキャンを行う場合に設定されるスキャンシーケンスの一例を示す図であり、図１０は、図９に示す２番目の送信パルスと３番目の送信パルスとの間において受信される受信エコーおよび補正エコーの拡大図である。
【００８４】
図９および図１０において横軸は時間を示す。図９に示すように、例えば１１回に亘って同一のラスタ方向に対して送信パルスが不等間隔で送信される。送信パルスは、例えば基準となる周期Tsの整数倍nTsとすることができる。そして、nの種類に応じて異なる複数の送信パルスの送信間隔を設定することができる。
【００８５】
図９の例では、5Ts, 6Ts, 7Tsの３種類の送信間隔で送信パルスが送信される。そうすると、同一のラスタ方向からイメージング用の受信データと残留エコーが重ね合わさった多重エコーが順次受信される。そして、このような送信パルスの送信および多重エコーの受信が各ラスタ方向について行われる。
【００８６】
このため、ラスタ方向が変わった場合において変更前のラスタ方向に送信された送信パルスにより生じる残留エコー対策として１番目の送信パルスはダミー送信とされる。すなわち１番目の送信パルスの送信後には多重エコーは受信されない。そして、２番目以降の各送信パルスが送信された後には、送信パルスの間隔に拠らず送信パルスの最小の送信間隔に相当する時間だけ多重エコーが受信される。
【００８７】
さらに、送信パルスの送信間隔が最長となる7Tsの期間に、残留エコーを除去するための補正エコーが受信される。図９の例では、２番目の送信パルスの後および１１番目の送信パルスの後に補正エコーが受信されているが、送信パルスの送信間隔が最大である期間であれば任意のタイミングで補正エコーを受信することができる。
【００８８】
具体的には、図１０に示すように、２番目の送信パルスの送信後、送信パルスの最小の送信間隔に相当する0から5Tsの期間に２番目の送信パルスに応答して生じた受信データがイメージング用の有効受信データとして受信される。次に、２番目の送信パルスに応答して有効視野深度よりも深い位置で発生したエコーが補正エコーとして有効受信データの受信後に受信される。図１０の例では、送信パルスの送信後、6Tsから7Tsの期間に補正エコーが受信されている。
【００８９】
尚、通常、超音波診断装置では、受信の時刻に応じて受信フォーカス、受信開口、受信信号のゲイン等の受信条件を変化させるが、6Tsから7Tsの期間は、0から1Tsの期間と同じ受信条件で補正エコーが受信される。
【００９０】
同様に、１１番目の送信パルスの送信後の5Tsから7Tsの期間に0から2Tsの期間と同じ受信条件で補正エコーが受信される。そうすると、送信パルスの送信後6Tsから7Tsの期間に受信される補正エコーは、ある有効受信データを取得するために送信された送信パルスと１つ前の送信パルスとの送信間隔が6Tsである場合において、１つ前の送信パルスにより6Tsから7Ts後の期間に生じた残留エコーに相当する。同様に、送信パルスの送信後5Tsから7Tsの期間に受信される補正エコーは、ある有効受信データを取得するために送信された送信パルスと１つ前の送信パルスとの送信間隔が5Tsである場合において、１つ前の送信パルスにより5Tsから7Ts後の期間に生じた残留エコーに相当する。
【００９１】
従って、多重受信エコーに含まれる残留エコー成分に相当する補正エコーを多重受信エコーから減算すれば、多重受信エコーから残留エコーを除去した受信データを得ることができる。すなわち、受信データの残留エコー補正処理を行うことができる。従って、送信パルスの送信間隔の最大送信間隔からの差分値に相当する期間に補正エコーが受信されるようにスキャンシーケンスが設定される。このため補正エコーは、最大でない送信間隔の種類の数だけ取得される。図９の例では、最大でない送信間隔は6Tsと5Tsの２種類であり、最大送信間隔7Tsからの差分値である1Ts, 2Tsの期間において２つの補正エコーが受信される。
【００９２】
そして、最長の送信間隔で送信パルスが送信される間のうち任意の期間において、受信エコーとともに必要な期間および数の補正エコーが受信され、最長でない送信間隔で送信パルスが送信された後に受信される多重エコーが補正エコーにより補正される。尚、多重エコーデータおよび補正エコーデータがCORNER TURNING BUFFER６Ａに一時的に保存されるまでの流れは、不等間隔交互スキャン法によるスキャンの場合と同様である。そして、多重エコーからの補正エコーの減算処理は、残留エコー補正部６Ｂにおいて行われる。
【００９３】
具体的には、図９の例において、３番目の送信パルスと４番目の送信パルスとの間の送信間隔は6Tsであるが１つ前の送信パルスの送信間隔は最長の7Tsであるため、３番目の送信パルスに応答して得られた受信エコーデータに対する減算処理は行われない。
【００９４】
また、４番目の送信パルスの前における送信パルスの送信間隔は6Tsであるため、４番目の送信パルスの後に受信される受信エコーの0から1Tsの期間には３番目の送信パルスにより6Tsから7Ts後に生じた残留エコーが重畳している。そこで、この残留エコーに相当する、２番目の送信パルスの送信後6Tsから7Tsの期間に受信した補正エコーが４番目の送信パルスの後に受信される受信エコーから減算される。これにより、残留エコーが除去される。
【００９５】
５番目の送信パルスの後に受信される受信エコーに対する補正は４番目の送信パルスの後に受信される受信エコーに対する補正と同様である。
【００９６】
また、６番目の送信パルスの前における送信パルスの送信間隔は5Tsであるため、６番目の送信パルスの後に受信される受信エコーの0から2Tsの期間には５番目の送信パルスにより5Tsから7Ts後に生じた残留エコーが重畳している。そこで、この残留エコーに相当する、１１番目の送信パルスの送信後5Tsから7Tsの期間に受信される補正エコーが６番目の送信パルスの後に受信される受信エコーから減算される。これにより、残留エコーが除去される。
【００９７】
そして、同様に７番目、８番目、９番目、１０番目の各送信パルスの送信後において受信された受信エコーの残留エコー補正が行われる。１１番目の送信パルスの送信後の0から5Tsの期間において受信される受信エコーは、補正せずにイメージングに使用することができる。
【００９８】
次に、残留エコー補正後の受信エコーデータのパケットは、MTI FILTER６ＣにおいてMTIフィルタ処理される。図９に示すスキャンシーケンスによって得られたパケットの場合、パケットを構成する複数のデータの間隔は[0, 7, 13, 19, 24, 29, 34, 40, 46, 53]Tsとなる。このため、式(7)に示すようなMTIフィルタ行列Wによって受信データに対するMTIフィルタ処理が行われる。
【数７】
2010017373.tif 000009
【００９９】
ただし、式(7)において、Iは単位行列を、ATは、行列Aの転置行列を、A-1は、行列Aの逆行列を、それぞれ示す。そして、MTI FILTER６Ｃでは、パケット内における受信データ列をx、MTIフィルタの出力データ列をyとして式(8)の演算が行われる。これにより受信データからカラードプラ像データの生成に不用な成分が除去される。
【数８】
2010017373.tif 000010
【０１００】
MTI FILTER６Ｃの出力データ列yは、自己相関演算部６Ｄに入力される。自己相関演算部６Ｄでは、MTI FILTER６Ｃの出力データ列yに対して式(9)で示す自己相関演算が行われる。
【数９】
2010017373.tif 000011
【０１０１】
但し、式(9)において、y*は、yの共役複素数を示す。すなわち、データ間隔が同じデータ同士でそれぞれ自己相関演算が行われる。式(9)は、図９の例の場合に対応しており、データ間隔が5Tsの３つのデータ、データ間隔が6Tsの４つのデータ、データ間隔が7Tsの２つのデータに対してそれぞれラグ１の自己相関関数を用いた自己相関演算が行われる。
【０１０２】
自己相関演算部６Ｄから出力される自己相関演算後のデータc5, c6, c7は、速度・分散・パワー推定部６Ｅに入力される。速度・分散・パワー推定部６Ｅでは、式(10)に示すようにデータ間隔ごとの自己相関演算値であるデータc5, c6, c7の自己相関値がラグ１の自己相関関数を用いて計算され、得られた自己相関値の偏角を求めることにより受信データの位相差の位相差ΔΔθが求められる。
【数１０】
2010017373.tif 000012
【０１０３】
但し、式(10)において、angle(c)は、複素数cの偏角Δθを計算する関数である。位相差の位相差ΔΔθは、1/Tsについての位相の変化率であるから、送信パルスの送信間隔が中央値5Tsのときの血流の速度は、式(11)のように求められる。
【数１１】
2010017373.tif 000013
【０１０４】
但し、式(11)において、Cは音速、f0は受信される超音波エコーの中心周波数である。
【０１０５】
そして、このように求められた血流情報は不等間隔交互スキャン法によるスキャンの場合と同様に、座標変換処理および画像合成処理を伴って、Ｂモード像上に重畳表示される。
【０１０６】
式(11)に示すように、図９に示すスタガパルス法による不等間隔スキャンを行えば、等間隔5Tsで超音波を送受信した場合の折り返し速度の５倍の速度まで検出が可能になることが分かる。一般化すると、周期Tsのn倍に相当する等間隔nTsで超音波を送受信する場合における折り返し速度のn倍の速度をスタガパルス法による不等間隔スキャンによって検出することができる。このように、同一のラスタ方向からの受信間隔が異なるパルスペア間における位相差を利用することによって、最小の送信パルスの送信周期で決定される折り返し速度よりも高速の速度を検出することが可能となる。
【０１０７】
加えて、補正エコーの減算処理によって残留エコーの影響が受信データから除去されるため、アーティファクトのない血流情報を得ることができる。
【０１０８】
つまり以上のような超音波診断装置１は、同一のラスタ方向について不等間隔に超音波を送受信するカラードプラスキャンにおいて、残留エコーに相当する補正エコーを受信して受信データから減算することにより残留エコーの影響を除去した血流情報を求めることができるようにしたものである。
【０１０９】
具体的には、不等間隔交互スキャン法によるスキャンの場合には、ダミー送信を行う代わりに、超音波の送信を行わずに１つ前の送信パルスによって生じた残留エコーを補正エコーとして受信し、補正エコーを受信データから減算することで残留エコーの影響を除去または低減することができる。また、スタガパルス法によるスキャンの場合には、送信パルス間の間隔が最長となる期間において深部からのエコーを補正エコーとして収集し、浅部から収集されたイメージング用の受信エコーから補正エコーを減算することで残留エコーの影響を除去または低減することができる。
【０１１０】
（効果）
このため、上述した超音波診断装置１によれば、同一のラスタ方向についての超音波の送信間隔を不等間隔としてスキャンを行う場合に、より少ないスキャン時間の増加量で残留エコーの影響を除去または低減させた超音波ドプラ像を得ることができる。
【０１１１】
例えば、従来の不等間隔交互スキャンにおいて残留エコー対策のために必要であったダミー送信を大幅に低減することができる。このため、従来の不等間隔交互スキャンに比べてデータ数が同じであればフレームレートを向上させることができ、フレームレートが同じであればパケット内のデータ数を増加させることにより描画性を向上させることができる。これにより、クラッタ除去能を向上させることができる。さらに、データ数を増加させることにより、位相干渉の悪影響を抑えることができる。このため、血流速度の推定精度を向上させることができる。
【０１１２】
また、従来のスタガパルス法によるスキャンでは、残留エコーを低減させる方法がなかったが、上述した超音波診断装置１においては、スタガパルス法によるスキャンを行う場合であっても残留エコーを低減することが可能である。このため、血流が存在しないにも関わらず血流が存在するかのように見えるアーティファクトを低減することができる。
【図面の簡単な説明】
【０１１３】
【図１】従来のスタガパルス法による超音波スキャンシーケンスを示す図。
【図２】従来の通常のカラードプラ法による超音波の送受において発生する残留エコーを示す図。
【図３】従来の不等間隔交互スキャンにおける送信超音波のラスタ方向と送信回数との関係を示す図。
【図４】本発明に係る超音波診断装置の実施の形態を示す構成図。
【図５】図４に示す超音波診断装置により不等間隔交互スキャン法によりスキャンを行う場合における超音波エコーのラスタ方向と受信回数との関係の一例を示す図。
【図６】図５に示す超音波の送受信によって収集されたラスタ方向cに対応する受信データを補正エコーによって補正して残留エコーを除去する方法を説明する図。
【図７】図６に示す受信タイミングにおいて受信されたラスタ方向cにおける各有効受信データに対する減算処理方法を示す図。
【図８】図４に示す超音波診断装置により不等間隔交互スキャン法によりスキャンを行う場合における超音波エコーのラスタ方向と受信回数との関係の別の例を示す図。
【図９】図４に示す超音波診断装置によりスタガパルス法によりスキャンを行う場合に設定されるスキャンシーケンスの一例を示す図。
【図１０】図９に示す２番目の送信パルスと３番目の送信パルスとの間において受信される受信エコーおよび補正エコーの拡大図。
【符号の説明】
【０１１４】
１  超音波診断装置
２  送信回路
３  超音波プローブ
４  受信回路
５  Ｂモード処理系
５Ａ  エコーフィルタ部
５Ｂ  検波部
５Ｃ  LOG処理部
６  カラードプラ処理系
６Ａ  CORNER TURNING BUFFER
６Ｂ  残留エコー補正部
６Ｃ  MTI FILTER
６Ｄ  自己相関演算部
６Ｅ  速度・分散・パワー推定部
７Ａ、７Ｂ  座標変換部
８  画像合成部
９  表示モニタ
１０  制御回路
【図１】
2010017373.tif 000014
【図２】
2010017373.tif 000015
【図３】
2010017373.tif 000016
【図４】
2010017373.tif 000017
【図５】
2010017373.tif 000018
【図６】
2010017373.tif 000019
【図７】
2010017373.tif 000020
【図８】
2010017373.tif 000021
【図９】
2010017373.tif 000022
【図１０】
2010017373.tif 000023